(57)【要約】【課題】今まででにない新しい表示方式の表示装置で演出が行える遊技機の提供。【解決手段】磁力を作用させた磁性粉35で表示体パネル31に表示内容を書き込む書込手段50と、表示体パネル31に書き込まれた表示内容を消去するための消去手段60と、表示体パネル31を回転駆動させながら書込手段50の動作制御を行う表示制御装置34とを設け、書き込みを行うべき表示部分が演出表示窓30から本体キャビネット２の内部に隠れた後、演出表示窓30を通じて露出する前に、当該表示部分の表示内容を書き換えるようにしたので、回転する表示体パネル31の外周面において、古い表示内容を次々に消去し、消去済みの部分に次々と新しい表示内容を書き込んで演出表示窓30から出現させれば、常に新しい情報からなる表示内容を遊技者に対して表示することができ、これにより、今まででにない新しい表示方式の演出表示装置40を実現することができる。【選択図】    図２
2007167273.tif 000002
【特許請求の範囲】
【請求項１】
遊技を行うための機器及び装置を収納するために箱状に形成された筐体の内部に、文字、図形及び模様のいずれかを含んで構成された表示内容を別の表示内容に変更する変更処理を繰り返し行える表示体パネルを有する表示装置が設けられている遊技機であって、
前記表示体パネルは、内部が中空となった円筒状に形成されるとともに、多数の磁性粉に磁力を作用させることにより、表示内容の書き込みが行われるものであり、且つ、前記筐体に設けられた表示窓から一部分が露出し、残りの部分が前記筐体内に隠蔽されるように配置され、
前記表示体パネルの中心軸を中心にして当該表示体パネルを回転可能に支持するとともに、当該表示体パネルを回転駆動する駆動手段と、
多数の磁性粉に磁力を作用させることにより、前記表示体パネルに表示内容を書き込む書込手段と、
前記書込手段によって前記表示体パネルに書き込まれた表示内容を消去するための消去手段と、
前記表示体パネルの回転角度位置を検出する回転角度位置検出手段と、
前記駆動手段に前記表示体パネルを回転駆動させながら前記書込手段の動作制御を行う表示制御手段と、
が前記表示装置に設けられ、
前記表示制御手段は、前記回転角度位置検出手段の検出した回転角度位置に基づいて、前記表示体パネルにおける書き込みを行うべき部分が前記表示窓から前記筐体の内部に隠れたことを検知し、前記表示体パネルにおける書き込みを行うべき部分が前記表示窓に露出してしまう前に、当該部分の表示内容を書き込ませるようになっていることを特徴とする遊技機。
【請求項２】
前記表示体パネルは、非磁性体からなる部材で形成したものであり、
前記表示体パネルの下方には、所定量の磁性粉を貯留するとともに上面が開口された磁性粉貯留パンが設けられ、この磁性粉貯留パンは、その内部において貯留されて堆積している磁性粉のうち、最上部に堆積している磁性粉が前記表示体パネルの外周面に近接するように配置され、
前記書込手段には、電流の導通により磁界を生じる励磁コイルと、この励磁コイルが巻回されるとともに、励磁コイルが発生した磁界の磁束を集中させるコアとを有するソレノイドが複数設けられ、
これらのソレノイドの各々は、そのコアの端面が前記表示体パネルの径方向外側を臨むように、前記表示体パネルの内周面に取り付けられ、
前記書込手段は、そのソレノイドのコイルに電流を導通させて磁化させることにより、前記磁性粉貯留パン内の磁性粉を前記表示体パネルの外周面に吸着させ、この前記表示体パネルの外周面に吸着された磁性粉で表示内容の表示を行うようになっていることを特徴とする請求項１記載の遊技機。
【請求項３】
前記表示体パネルを内部に収納するとともに透明な部材により形成された磁性粉封入ケースが設けられ、
この磁性粉封入ケースには、前記磁性粉貯留パンの上面の開口と接続させる接続口が設けられるとともに、前記消去手段の少なくとも一部分が前記表示体パネルの外周面に対して進退可能に取り付けられ、
前記消去手段には、前記表示体パネルの外周面に対して前進した位置及び後退した位置に移動するためのアクチュエータと、前記表示体パネルの外周面に付着した磁性粉を除去するためのブラシと、前記表示体パネルの外周面に付着した磁性粉の残留磁力を消去する消去ソレノイドとが設けられていることを特徴とする請求項２記載の遊技機。
【発明の詳細な説明】
【技術分野】
【０００１】
本発明は、スロットマシン等の回胴式遊技機を含む遊技機に関し、詳しくは、遊技における演出のための演出表示等を行う表示装置を備えた遊技機に関する。
【背景技術】
【０００２】
従来から、人々に娯楽を提供するために、スロットマシン等の様々な遊技機が利用されている。例えば、スロットマシンは、複数種類の図柄が記されるとともに回転駆動可能に設けられた複数の回転リールを備えたものであり、複数の回転リールに設けられた複数種類の図柄を所定の組合せに揃えるゲームを遊技者に行わせ、これにより、娯楽を提供するものとなっている。
また、このような遊技機には、様々な演出を行うために、ダミーの回転リール、液晶表示装置、ドット表示装置、演出用ランプ等の演出用のデバイスが設けられている。例えば、遊技機に液晶表示装置を設ければ、その画面に様々な映像の表示が可能となり、遊技中に様々な情報を遊技者に提供できるうえ、遊技者が入賞した際等に、入賞役の演出に最適な画像を表示することにより、演出効果を高めることができ、遊技者をさらに遊技に没入させることが可能となる。
【０００３】
例えば、スロットマシンでは、ゲーム毎に内部抽選が行われ、この内部抽選により、フラグを成立させるか否か、換言すると、所定の組合せの図柄が揃っても良い状態にするか否かを決めるようになっている。
また、ゲーム毎に行われる内部抽選で、所定のフラグ、例えば、ボーナスゲーム等の特定役への当選に相当するフラグが成立すると、ボーナスゲーム等への入賞が可能となるので、その旨をゲーム中の遊技者に知らせるために、スロットマシンに備えられた液晶表示装置等に表示するようになっている。また、スロットマシンが液晶表示装置を備えたものである場合には、成立したフラグに応じた各種の演出を液晶表示装置で行うようにすることもできる（例えば、特許文献１参照）。
【特許文献１】特開２００５−１２４８９９号（図１）
【発明の開示】
【発明が解決しようとする課題】
【０００４】
前述のような遊技機では、ダミーの回転リール、液晶表示装置、ドット表示装置、演出用ランプ等の演出用のデバイスに新鮮味がなくなってしまっており、今まででにない新しい表示方式の表示装置で演出が行える遊技機が要望されている。
そこで、各請求項にそれぞれ記載された各発明は、上記した従来の技術の有する問題点に鑑みてなされたものであり、その目的とするところは、今まででにない新しい表示方式の表示装置で演出が行える遊技機を提供することである。
【課題を解決するための手段】
【０００５】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載された発明は、遊技を行うための機器及び装置を収納するために箱状に形成された筐体(２)の内部に、文字、図形及び模様のいずれかを含んで構成された表示内容を別の表示内容に変更する変更処理を繰り返し行える表示体パネル(31)を有する表示装置(40,40A)が設けられている遊技機(１)であって、前記表示体パネル(31)は、内部が中空となった円筒状に形成されるとともに、多数の磁性粉(35)に磁力を作用させることにより、表示内容の書き込みが行われるものであり、且つ、前記筐体(２)に設けられた表示窓(30)から一部分が露出し、残りの部分が前記筐体(２)内に隠蔽されるように配置され、前記表示体パネル(31)の中心軸(31A) を中心にして当該表示体パネル(31)を回転可能に支持するとともに、当該表示体パネル(31)を回転駆動する駆動手段(32)と、多数の磁性粉(35)に磁力を作用させることにより、前記表示体パネル(31)に表示内容を書き込む書込手段(50)と、前記書込手段(50)によって前記表示体パネル(31)に書き込まれた表示内容を消去するための消去手段(60)と、前記表示体パネル(31)の回転角度位置を検出する回転角度位置検出手段(33)と、前記駆動手段(32)に前記表示体パネル(31)を回転駆動させながら前記書込手段(50)の動作制御を行う表示制御手段(34)とが前記表示装置(40,40A)に設けられ、前記表示制御手段(34)は、前記回転角度位置検出手段(33)の検出した回転角度位置に基づいて、前記表示体パネル(31)における書き込みを行うべき部分が前記表示窓(30)から前記筐体(２)の内部に隠れたことを検知し、前記表示体パネル(31)における書き込みを行うべき部分が前記表示窓(30)に露出してしまう前に、当該部分の表示内容を書き込ませるようになっていることを特徴とする。
【０００６】
（請求項２）
（特徴点）
請求項２記載の発明は、前述した請求項１に記載の発明において、次の特徴点を備えているものである。
すなわち、請求項２記載の発明は、前記表示体パネル(31)は、非磁性体からなる部材で形成したものであり、前記表示体パネル(31)の下方には、所定量の磁性粉(35)を貯留するとともに上面が開口された磁性粉貯留パン(36)が設けられ、この磁性粉貯留パン(36)は、その内部において貯留されて堆積している磁性粉(35)のうち、最上部に堆積している磁性粉(35)が前記表示体パネル(31)の外周面に近接するように配置され、前記書込手段(50)には、電流の導通により磁界を生じる励磁コイルと、この励磁コイルが巻回されるとともに、励磁コイルが発生した磁界の磁束を集中させるコアとを有するソレノイド(51,51A)が複数設けられ、これらのソレノイド(51,51A)の各々は、そのコア(54)の端面が前記表示体パネル(31)の径方向外側を臨むように、前記表示体パネル(31)の内周面に取り付けられ、前記書込手段(50)は、そのソレノイド(51,51A)のコイルに電流を導通させて磁化させることにより、前記磁性粉貯留パン(36)内の磁性粉(35)を前記表示体パネル(31)の外周面に吸着させ、この前記表示体パネル(31)の外周面に吸着された磁性粉(35)で表示内容の表示を行うようになっていることを特徴とする。
【０００７】
（請求項３）
（特徴点）
請求項３記載の発明は、前述した請求項２に記載の発明において、次の特徴点を備えているものである。
すなわち、請求項３記載の発明は、前記表示体パネル(31)を内部に収納するとともに透明な部材により形成された磁性粉封入ケース(37)が設けられ、この磁性粉封入ケース(37)には、前記磁性粉貯留パン(36)の上面の開口と接続させる接続口(37A) が設けられるとともに、前記消去手段(60)の少なくとも一部分が前記表示体パネル(31)の外周面に対して進退可能に取り付けられ、前記消去手段(60)には、前記表示体パネル(31)の外周面に対して前進した位置及び後退した位置に移動するためのアクチュエータ(63)と、前記表示体パネルの外周面に付着した磁性粉を除去するためのブラシと、前記表示体パネル(31)の外周面に付着した磁性粉(35)の残留磁力を消去する消去ソレノイド(62)とが設けられていることを特徴とする。
【発明の効果】
【０００８】
（請求項１の効果）
以上のように構成されている本発明は、以下に記載されるような効果を奏する。
すなわち、請求項１記載の発明によれば、磁力を作用させた磁性粉で表示体パネルに表示内容を書き込む書込手段と、表示体パネルに書き込まれた表示内容を消去するための消去手段と、表示体パネルを回転駆動させながら書込手段の動作制御を行う表示制御手段とを設け、表示体パネルにおける書き込みを行うべき部分が表示窓に露出する前に、当該部分の表示内容を書き込むようにしたので、書き込みを行うべき部分が表示窓から筐体の内部に隠れる毎に、消去手段により表示体パネルに書き込まれている表示内容が消去可能となり、次に当該部分が表示窓に露出する時には、消去された部分に新しい表示内容が書き込まれるようにすることができる。
【０００９】
これにより、回転する表示体パネルの外周面において、古い表示内容を次々に消去し、消去済みの部分に次々と新しい表示内容を書き込んで表示窓から出現させれば、常に新しい情報からなる表示内容を遊技者に対して表示することができ、今まででにない新しい表示方式の表示装置を実現することができる。
そして、表示体パネルの表示内容を構成するドットあるいは描線は、磁力を作用させた磁性粉で描かれたものであって、液晶表示装置やドット表示装置のように常に一定の連続する線で構成される輪郭を有するものとは異なり、磁力の影響でギザギザとなる等、書き替えの度に微妙に異なる形の輪郭を有するものとなる。このため、液晶表示装置やドット表示装置とは異なる新しい風合いの表示が行え、遊技者の関心を引くことができるうえ、今までにない新しい表示方式であることを遊技者にアピールすることができる。
【００１０】
（請求項２の効果）
請求項２記載の発明によれば、上記した請求項１記載の発明の効果に加え、次のような効果を奏する。
すなわち、請求項２記載の発明によれば、ソレノイドが有するコアの端面を表示体パネルの径方向外側に向け、この状態で、ソレノイドを表示体パネルの内周面に取り付けたので、ソレノイドに電流を導通させて磁化させると、ソレノイドのコアの端面から表示体パネルの径方向外側に向かって磁力線が放出され、磁性粉貯留パンから多くの磁性粉を吸引して、コアの端面に相当する部分に集中して吸着させることができる。
【００１１】
これにより、表示体パネルの外周面に表示内容を表示させた際に、表示部分と非表示部分とにおける磁性粉の吸着量の差を大きくすることができるので、表示におけるコントラストが向上し、表示体パネルの表示内容を見やすいものにできる。
（請求項３の効果）
請求項３記載の発明によれば、上記した請求項２記載の発明の効果に加え、次のような効果を奏する。
すなわち、請求項３記載の発明によれば、消去手段を表示体パネルの外周面に対して前進させれば、その消去ソレノイドで磁性粉の残留磁力を消去しながら、ブラシで表示体パネルの外周面に付着した磁性粉を掻き取ることができるので、表示体パネルの外周面に表示された表示内容をきれいに消去することができる。
【００１２】
一方、消去手段を表示体パネルの外周面から後退させれば、消去ソレノイド及びブラシが表示体パネルの外周面に付着した磁性粉に影響を及ぼすことがなくなるので、表示体パネルの外周面に表示された表示内容をそのまま残すこともできる。
さらに、表示体パネルを磁性粉封入ケースの内部に収納したので、消去手段のブラシで表示体パネルの外周面に付着した磁性粉を掻き取っても、磁性粉封入ケースから外部へ磁性粉が拡散することがない。これにより、磁性粉を利用して表示された表示内容を書き替えるようにしても、磁性粉が遊技機の筐体内に拡散することがなく、磁性粉が原因となる遊技機の作動不良等の不具合を未然に防止することができる。
【発明を実施するための最良の形態】
【００１３】
以下に、本発明を実施するための最良の形態である実施形態について、図面に基づいて説明する。
（第１実施形態）
図１〜図３は、本発明の第１実施形態を示すものである。図１は、本第１実施形態に係る遊技機であるスロットマシンの全体を示す正面図、図２は、本第１実施形態に係る演出表示装置を示す断面図、図３は、本第１実施形態に係る制御系の概略を示すブロック図である。
（スロットマシン１の概要）
本実施形態に係るスロットマシン１は、遊技を行うための機器及び装置を収納するために、図１に示すように、略六面体の箱状に形成された筐体としての本体キャビネット２を備えたものである。この本体キャビネット２の前面は、開口されている。そして、本体キャビネット２の前面の開口は、当該本体キャビネット２に回動可能に設けられた前扉３によって塞がれるようになっている。
【００１４】
前扉３の上下方向における中央部分は、スロットマシン１の遊技操作を行うための操作部10となっている。
操作部10には、図１中右側から、前扉３の施錠を行う鍵が差し込まれる鍵穴11と、遊技用メダルが投入されるメダル投入口12と、回転リール24の回転を停止させるストップスイッチ13と、メダル投入口12に投入されたメダルのうち該ゲームに賭けるメダルの枚数を設定するためのベットスイッチ14と、回転リール24の回転を開始させるスタートスイッチ15とが設けられている。
操作部10の下方には、文字及び図の少なくとも一方からなる標章、例えば、スロットマシン１の機種名を鮮明に表示するための下パネル16が設けられている。この下パネル16の裏側には、下パネル16を後方から照らす図示しないバックライト装置が設けられている。さらに、下パネル16の下方には、払い出されたメダルを溜めておくためのメダル受け17が設けられている。
【００１５】
また、操作部10の上方には、横方向に細長い長方形状に形成された図柄表示窓18と、この図柄表示窓18の右側に配置されるとともに、動画の表示までもが可能となった液晶パネル表示装置20とが設けられている。
このうち、図柄表示窓18は、本体キャビネット２の内部に収納された回転リール24の図柄を遊技者に見せるためのものである。
図柄表示窓18の上方には、横長の長方形に形成された演出表示窓30が設けられている。この演出表示窓30は、本体キャビネット２の内部に設けられた演出表示装置40が備えている表示体パネル31の一部分を露出させる表示窓である。
【００１６】
この演出表示窓30の上方には、当該液晶パネル表示装置20に被さるように配置された逆Ｕ字形の装飾照明部21が設けられている。
このうち、装飾照明部21は、白熱ランプや発光ダイオード等の各種の光源を含んで構成され、入賞の告知や演出等のために光源を点灯あるいは点滅されるものとなっている。
前扉３の上方左右の角隅近傍には、種々の音声を出力するためのスピーカ22が設けられている。
（演出表示装置40の構成）
演出表示装置40は、本発明に基づく表示装置であり、文字、図形及び模様のいずれかを含んで構成された表示内容を別の表示内容に変更する変更処理を繰り返し行える表示体パネル31により、遊技の演出表示を行うものとなっている。
【００１７】
ここで、表示体パネル31は、図２に示すように、内部が中空となった円筒状に形成されるとともに、多数の磁性粉35に磁力を作用させることにより、表示内容の書き込みが行われるものでとなっている。また、表示体パネル31は、本体キャビネット２に設けられた演出表示窓30から一部分が露出し、残りの部分が本体キャビネット２内に隠蔽されるように配置されている。
演出表示装置40には、表示体パネル31を回転駆動する駆動手段としてのパネルモータ32と、表示体パネル31に表示内容を書き込む書込手段50と、書込手段50によって表示体パネル31に書き込まれた表示内容を消去する消去手段60と、表示体パネル31の回転角度位置を検出する回転角度位置検出手段としてのロータリーエンコーダ33と、書込手段50の動作制御を行う表示制御手段としての表示制御装置34と、所定量の磁性粉35を貯留する磁性粉貯留パン36と、表示体パネル31を内部に収納するとともに透明な部材により形成された磁性粉封入ケース37とが設けられている。
【００１８】
なお、前扉３の裏面には、演出表示窓30の周縁に沿って延びるとともに、演出表示装置40側へ向かって突出するフード38が設けられている。このフード38により、前扉３の裏面と演出表示装置40との間に形成される隙間が塞がれ、外部から本体キャビネット２の内部が見られないようになっている。
書込手段50は、磁性粉貯留パン36に貯留されている多数の磁性粉に磁力を作用させることにより、表示体パネル31に表示内容を書き込むものである。そして、表示制御装置34は、パネルモータ32に表示体パネル31を図２中時計方向に回転駆動させながら書込手段50の動作制御を行うものである。これらの書込手段50及び表示制御装置34、並びに、消去手段60については、後で詳しく説明する。
【００１９】
表示体パネル31は、非磁性体からなる部材で形成したものであり、その内部に書込手段50が設置されている。そして、表示体パネル31の側壁部分は、図２において厚く表現されているが、実際には、内部に設置された書込手段50が発する磁力で磁性粉35を充分吸着可能なように薄く形成されている。
パネルモータ32は、表示体パネル31を直接回転駆動することが可能な程度のトルクを出力できるステッピングモータである。パネルモータ32の出力軸は、その一端が表示体パネル31の中心軸31A に連結されたものとなっている。これにより、表示体パネル31は、その中心軸31A を中心にして回転可能にパネルモータ32に支持されている。
【００２０】
ロータリーエンコーダ33は、パネルモータ32の出力軸の他端に連結され、これにより、パネルモータ32の出力軸を介して表示体パネル31の中心軸31A に連結され、表示体パネル31の回転角度位置の検出が可能となっている。
磁性粉封入ケース37は、内部に表示体パネル31を回転可能に収納できるように、表示体パネル31よりも一回り大きい円筒状に形成されたものである。磁性粉封入ケース37は、内部の表示体パネル31と同軸位置に配置されている。
磁性粉貯留パン36は、上面が開口された底の浅い容器である。ここで、磁性粉封入ケース37の底部には、磁性粉貯留パン36の上面の開口と接続させる接続口37A が設けられている。磁性粉貯留パン36は、磁性粉封入ケース37の底部に設けられた接続口37A に、その開口の内部を臨ませた状態で、その側壁の開口された側の端縁が接続口37A の内部に嵌め込まれている。これにより、磁性粉貯留パン36が表示体パネル31の下方の位置に配置され、磁性粉貯留パン36の内部において貯留されて堆積している磁性粉35のうち、最上部に堆積している磁性粉35が表示体パネル31の外周面に接触可能となっている。
【００２１】
なお、磁性粉35としては、残留磁束密度が小さい磁性体の微粒子、具体的には、外部磁界が消滅すると、自らの磁力がなくなってしまう磁性体の微粒子、例えば、軟鉄等からなる砂鉄が採用できる。
消去手段60は、表示体パネル31の外周面に付着した磁性粉35を除去するためのブラシ61と、表示体パネル31の外周面に付着した磁性粉35の残留磁力を消去する消去ソレノイド62と、ブラシ61を移動させるためのアクチュエータであるカム駆動用モータ63とを備えたものである。
このうち、ブラシ61は、消去手段60の一部分、換言すると、主要な構成部品である。このブラシ61には、磁性粉35を掃き取るために表示体パネル31側へ突き出た多数の毛61A が腹側の面に植毛された本体61B と、この本体61B の背側の面から磁性粉封入ケース37の外側へ延びるテンションロッド61C とが備えられている。そして、ブラシ61の本体61B は、その背側の面に当接されたコイルバネ64により、表示体パネル31に向かって常に付勢されたものとなっている。
【００２２】
一方、カム駆動用モータ63は、磁性粉封入ケース37に取り付けられたベース部材60A に固定されるとともに、減速ギア等を介してトルクがカム65に伝達され、当該カム65を回転駆動するものとなっている。カム65は、ベース部材60A に突設された支持ボス60B に基端が軸支されたロッカーアーム66の中間部分と係合し、カム駆動用モータ63のトルクで回転駆動されると、ロッカーアーム66の全体を揺動駆動させるものとなっている。
ロッカーアーム66の先端には、ブラシ61のテンションロッド61C の係合ピン61D を挿通させる長穴66A が設けられている。
これにより、カム駆動用モータ63がカム65を回転駆動し、ロッカーアーム66を揺動させ、ロッカーアーム66の先端が上方へ移動すると、ブラシ61の本体61B がコイルバネ64の付勢力に抗して表示体パネル31の外周面から離れる方向へ退くようになっている。
【００２３】
そして、カム駆動用モータ63がさらにカム65を回転駆動し、ロッカーアーム66を揺動させ、ロッカーアーム66の先端が下方へ移動すると、ブラシ61の本体61B がコイルバネ64の付勢力により、表示体パネル31の外周面に向かって前進するようになっている。
書込手段50は、表示体パネル31の内周面に取り付けられた多数のソレノイド51からなるソレノイド群52と、駆動すべきソレノイド51に電流を導通して該ソレノイド51に磁力を発生させるソレノイド群駆動装置53とを有するものである。
ここで、書込手段50が有する多数のソレノイド51の各々は、電流の導通により磁界を生じる励磁コイル（図示略）と、この励磁コイルが巻回されるとともに、励磁コイルが発生した磁界の磁束を集中させるコア（図示略）とを有するものとなっている。
【００２４】
これらのソレノイド51は、各コアの端面が表示体パネル31の径方向外側を臨むように設置され、且つ、表示体パネル31の内周面において設定された縦列及び横列のそれぞれに配列されてドット・マトリクスを形成している。
ソレノイド群駆動装置53は、ソレノイド群52のソレノイド51と同じ数のスイッチング素子（図示略）を備えたものである。これらのスイッチング素子は、多数のソレノイド51が形成するドット・マトリクスに対応したマトリクス状に配線されている。
このようなソレノイド群駆動装置53は、所定の制御信号に基づいて、マトリクス状に配線された多数のスイッチング素子の中から選択した任意のスイッチング素子を導通状態にし、導通状態となったスイッチング素子がドット・マトリクスにおいて当該スイッチング素子に対応する位置に配置された所望のソレノイド51を磁化させるようになっている。
【００２５】
ここで、所望の複数位置のソレノイド51をすべて磁化させて、磁性粉貯留パン36内の磁性粉35を表示体パネル31の外周面の必要な位置に吸着させることにより、表示体パネル31の外周面には、様々な文字、図形及び模様等で構成された表示内容を書き込むことができるようになっている。
ここで、表示体パネル31の外周面は、パネルモータ32によって回転駆動され、演出表示窓30を通過した後、消去手段60と対向する位置に達し、その後、磁性粉貯留パン36の上方を通過してから、再度、演出表示窓30に達するようになっている。
これにより、表示体パネル31は、消去手段60で消去した後、磁性粉貯留パン36の上方を通過して、書込手段50が新たな表示内容を表示体パネル31の外周面に書き込むことにより、表示内容を変更する変更処理が行えるとともに、消去手段60の消去処理及び書込手段50の書込処理を繰り返せば、変更処理が何度でも繰り返し行えるものとなっている。
（スロットマシン１の制御系）
次に、スロットマシン１の制御系について簡単に説明する。
【００２６】
図３には、スロットマシン１に係る制御系統の概略構成が示されている。図３において、スロットマシン１には、その遊技における動作を制御する遊技制御装置４と、演出表示装置40を制御する表示制御装置34とが設けられている。
こうのち、遊技制御装置４は、その遊技における当否を決める抽選を行うとともに、この抽選で当選した可能性があることを遊技者に報知する報知演出を行うべき旨を指示する指令信号を送出することが可能となっている。
一方、表示制御装置34は、１チップのみでＣＰＵが構成される４ビットのマイクロコンピュータ等、適度なインテリジェンスを備えたマイクロコンピュータ（図示略）と、制御に必要なプログラムやデータを記憶することが可能な記憶素子（図示略）とを備えたものであり、記憶素子に記憶されたプログラムをマイクロコンピュータで実行することで様々な処理が行えるようなっている。
【００２７】
また、表示制御装置34は、遊技制御装置４から送られてくる演出指令信号に応じた演出表示を演出表示装置40に行わせるために、パネルモータ32、カム駆動用モータ63、消去ソレノイド62及びソレノイド群52の動作を制御するようになっている。
ここで、表示制御装置34には、演出表示装置40で行われる演出表示で表示される表示イメージデータ等の演出表示データが複数種類記憶されている。
遊技制御装置４から送られてくる演出指令信号には、表示制御装置34に記憶された複数種類の演出表示データのうちの一つを特定する演出表示コードが含まれている。
表示制御装置34とパネルモータ32との間には、当該パネルモータ32への電力供給を入り切りする電力制御素子を備えたパネルモータ駆動装置39（図３にのみ示す。）が設けられている。
【００２８】
表示制御装置34とカム駆動用モータ63及び消去ソレノイド62との間には、当該カム駆動用モータ63及び消去ソレノイド62の各々への電力供給を入り切りする電力制御素子をそれぞれ備えた消去装置駆動装置67（図３にのみ示す。）が設けられている。
表示制御装置34とソレノイド群52との間には、前述のソレノイド群駆動装置53が設けられている。
表示制御装置34は、パネルモータ駆動装置39を介してパネルモータ32を間接的に制御し、消去装置駆動装置67を介して、カム駆動用モータ63及び消去ソレノイド62を制御し、ソレノイド群駆動装置53を介してソレノイド群52を制御するようになっている。
【００２９】
そして、表示制御装置34は、遊技制御装置４から演出指令信号及び演出表示コードを受信すると、ロータリーエンコーダ33から送られてくる回転角度位置データに基づいて、パネルモータ駆動装置39及び消去装置駆動装置67を制御するとともに、複数種類の演出表示データの中から、演出表示コードに対応した演出表示データを選択し、選択した演出表示データと、ロータリーエンコーダ33からの回転角度位置データとの両方に基づいて、ソレノイド群駆動装置53の動作を制御するようになっている。
これにより、表示制御装置34は、ロータリーエンコーダ33の検出した回転角度位置に基づいて、表示体パネル31における書き込みを行うべき部分が演出表示窓30から本体キャビネット２の内部に隠れたことを検知し、古い表示内容を消去手段60に消去させ、表示体パネル31における書き込みを行うべき部分が演出表示窓30に露出してしまう前に、当該部分に書き込むべき演出表示データに基づいた新たな表示内容を書込手段50に書き込ませるようになっている。
（演出表示装置40の動作）
続いて、演出表示装置40の動作について簡単に説明する。
【００３０】
遊技制御装置４による抽選の結果、例えば、遊技者がボーナスに当選すると、遊技制御装置４は、当選した役に応じた演出表示を演出表示装置40に行わせるために、表示制御装置34へ演出表示コードを含んだ演出指令信号を送出する。
表示制御装置34は、遊技制御装置４から演出表示コードを含んだ演出指令信号を受信すると、消去装置駆動装置67を制御してブラシ61を前進させるとともに、消去ソレノイド62を起動させ、さらに、パネルモータ駆動装置39にパネルモータ32の回転駆動を開始させる。すると、これまでに演出表示窓30を通して外部に露出していた表示体パネル31の外周面の一部分がブラシ61及び消去ソレノイド62の下方を通過して、当該部分に書き込まれていた表示内容がブラシ61及び消去ソレノイド62よって消去されて空白部分となる。
【００３１】
そして、表示制御装置34は、パネルモータ32の回転駆動を開始させたのとほぼ同時に、ロータリーエンコーダ33が検出した回転角度位置に基づいて、前述の空白部分の回転角度位置を検知しながら、演出表示コードに対応した演出表示データをソレノイド群駆動装置53へ送出する。演出表示データを受信したソレノイド群駆動装置53は、表示体パネル31の外周面の全体に配置されている多数のソレノイド51のうち、前述の空白部分に対応したソレノイド51であって、送られてきた演出表示データに対応したソレノイド51を駆動して、当該ソレノイド51に磁力を発生させる。
演出表示データに対応したソレノイド51が磁力を発生している状態で、空白部分が磁性粉貯留パン36の上を通過すると、ソレノイド51の磁力が、磁性粉貯留パン36に貯留されている磁性粉35を空白部分に吸着させ、これにより、新たな表示内容が空白部分に書き込まれ、空白部分が新表記部分となる。そして、さらに表示体パネル31が回転して、新表記部分が演出表示窓30の回転角度位置に達すると、新表記部分に書き込まれた表示内容が演出表示窓30を通して外部の遊技者に対して示されることとなる。
（第１実施形態の効果）
前述のような本実施形態によれば、次のような効果が得られる。
【００３２】
すなわち、磁力を作用させた磁性粉35で表示体パネル31に表示内容を書き込む書込手段50と、表示体パネル31に書き込まれた表示内容を消去するための消去手段60と、表示体パネル31を回転駆動させながら書込手段50の動作制御を行う表示制御手段である表示制御装置34とを設け、表示体パネル31における書き込みを行うべき部分が演出表示窓30に露出する前に、当該部分の表示内容を書き込むようにしたので、書き込みを行うべき部分が演出表示窓30から本体キャビネット２の内部に隠れる毎に、消去手段60により表示体パネル31に書き込まれている表示内容が消去可能となり、次に当該部分が演出表示窓30に露出する時には、消去された部分に新しい表示内容を書き込んで表示することができる。
【００３３】
これにより、回転する表示体パネル31の外周面において、古い表示内容を次々に消去し、消去済みの部分に次々と新しい表示内容を書き込んで演出表示窓30から出現させれば、常に新しい情報からなる表示内容を遊技者に対して表示することができ、今まででにない新しい表示方式の演出表示装置40を実現することができる。
そして、表示体パネル31の表示内容を構成するドットあるいは描線は、磁力を作用させた磁性粉35で描かれたものであって、液晶表示装置やドット表示装置のように常に一定の連続する線で構成される輪郭を有するものとは異なり、磁力の影響でギザギザとなる等、書き替えの度に微妙に異なる形の輪郭を有するものとなる。このため、液晶表示装置やドット表示装置とは異なる新しい風合いの表示が行え、遊技者の関心を引くことができるうえ、今までにない新しい表示方式であることを遊技者にアピールすることができる。
【００３４】
また、多数設けられているソレノイド51の各コアの端面を表示体パネル31の径方向外側に向け、この状態で、ソレノイド51の各々を表示体パネル31の内周面に取り付けたので、ソレノイド51に電流を導通させて磁化させると、ソレノイド51のコアの端面から表示体パネル31の径方向外側に向かって磁力線が放出され、磁性粉貯留パン36から多くの磁性粉35を吸引して、表示体パネル31の外周面におけるコアの端面に相当する部分に集中して磁性粉35を吸着させることができる。
これにより、表示体パネル31の外周面に表示内容を表示させた際に、表示部分と非表示部分とにおける磁性粉35の吸着量の差を大きくすることができるので、表示におけるコントラストが向上し、表示体パネル31の表示内容を見やすいものにできる。
【００３５】
さらに、消去手段60のブラシ61を表示体パネル31の外周面に対して進退可能に設け、且つ、このブラシ61をカム駆動用モータ63で前後に自動的に駆動するようにしたので、表示体パネル31の外周面に対してブラシ61を前進させれば、その消去ソレノイド62で磁性粉35の残留磁力を消去しながら、ブラシ61で表示体パネル31の外周面に付着した磁性粉35を掻き取ることができるので、表示体パネル31の外周面に表示された表示内容をきれいに消去することができる。
一方、ブラシ61を表示体パネル31の外周面から後退させるとともに、消去ソレノイド62を非作動状態にすれば、ブラシ61及び消去ソレノイド62が表示体パネル31の外周面に付着した磁性粉35に影響を及ぼすことがなくなるので、表示体パネル31の外周面に表示された表示内容をそのまま残すこともできる。
【００３６】
さらに、表示体パネル31を磁性粉封入ケース37の内部に収納したので、消去手段60のブラシ61で表示体パネル31の外周面に付着した磁性粉35を掻き取っても、磁性粉封入ケース37から外部へ磁性粉35が飛散することがない。これにより、磁性粉35を利用して表示された表示内容を書き替えるようにしても、磁性粉35がスロットマシン１の本体キャビネット２の内部に飛散することがなく、磁性粉35が原因となるスロットマシン１の作動不良等の不具合を未然に防止することができる。
（第２実施形態）
図４及び図５は、本発明の第２実施形態を示すものであり、図４は、本第２実施形態に係る演出表示装置を示す断面図、図５（Ａ）〜（Ｃ）は、本第２実施形態に係る演出表示窓における、それぞれ異なる表示状態を示す正面図である。
【００３７】
本第２実施形態は、前記第１実施形態におけるマトリクス状に配列された多数のソレノイド51が設けられた演出表示装置40を、一対のソレノイド51A が設けられた演出表示装置40A としたものである。
（演出表示装置40A の構成）
すなわち、本第２実施形態に係る演出表示装置40A は、図４に示すように、前記第１実施形態のソレノイド51と比べると、著しく大型のソレノイド51A を有するものとなっている。この演出表示装置40A に設けられた一対のソレノイド51A の各々は、電流を磁気に変換するための電磁コイル55と、この電磁コイル55が周囲に巻回されたコア54とを備えたものとなっている。このうち、コア54は、その一方の端部54A が電磁コイル55の端面から表示体パネル31の外周面に向かって突出するとともに、表示体パネル31の内周面に沿って周方向に広がり、全体の側面形状が略Ｔ字形となっている。
【００３８】
このような一対のソレノイド51A の各々は、図５（Ａ）〜（Ｃ）に示すように、表示体パネル31の中心軸31A 方向における端部近傍、換言すると、図５中左右の端部近傍にそれぞれ配置されている。
そして、表示体パネル31は、その外周面のうち、一対のソレノイド51A の広がった端部54A の間に挟まれた部分が演出表示を行う表示領域31B とされ、それ以外の部分が表示の行えない非表示領域31C となっている。
この表示領域31B には、演出表示の表示内容として、一対のソレノイド51A が生じる磁界に形成される磁力線パターンが表示されるようになっている。
【００３９】
具体的には、図５（Ｂ）に示すように、図５中左右のソレノイド51A を異なる方向に磁化すると、例えば、左方に配置されたソレノイド51A の端部54A をＮ極に磁化するとともに、右方に配置されたソレノイド51A の端部54A をＳ極に磁化すると、表示領域31B には、互いに平行な複数の直線状に延びる磁力線パターンが磁性粉35により表示される。
一方、図５（Ｃ）に示すように、図５中左右のソレノイド51A を同じ方向に磁化すると、例えば、両方のソレノイド51A の端部54A をＮ極に磁化すると、表示領域31B には、左右のソレノイド51A の中間部分で互いに反発するように、先端部分が上下に円弧状に曲がった磁力線パターンが磁性粉35により表示される。
【００４０】
なお、非表示領域31C には、スロットマシン１を製造するメーカー等を示すブランドロゴや、スロットマシン１に設定されたマスコット・キャラクターのイラスト等が描かれている。
そして、演出表示装置40A は、磁力線パターンを示す演出表示を行わないときには、非表示領域31C を演出表示窓30に臨ませ、ブランドロゴやマスコット・キャラクターを遊技者に見せるようになっている。
（第２実施形態の効果）
このような本第２実施形態によれば、前記第１実施形態と同様の効果を達成できる他、次のような効果を付加できる。
【００４１】
すなわち、一対のソレノイド51A が形成する磁力線パターンを磁性粉35で表示するようにしたので、従来の表示装置では表示不可能な新しい模様の表示内容を表示することができ、従来とは全く異なった新しい演出表示が行え、演出表示に新鮮味を与えることができる。
（変形例）
なお、本発明は、前記実施形態に限定されるものではなく、本発明の目的を達成できる範囲における変形及び改良などをも含むものである。
すなわち、回転角度位置検出手段としては、ロータリーエンコーダ等の表示体パネルの回転軸に結合されて、その回転角度位置を直接検出するものに限らず、ステッピングモータに供給された駆動用の電力パルスの数を計数するカウンタを備え、このカウンタの計数値に基づいて、表示体パネルの回転角度位置を検出するものでもよく、表示体パネルの回転角度位置を検出する具体的な検出原理や構造は、実施にあたり適宜選択できる。
【００４２】
また、消去手段のブラシを移動するためのアクチュエータとしては、カムを回転駆動するカム駆動用モータ等の回転駆動式のアクチュエータに限らず、ブラシを直接進退駆動するソレノイドやエアシリンダ等の直線駆動式のアクチュエータでもよい。
さらに、遊技機としては、スロットマシンに限らず、パチンコ機等の弾球遊技機でもよく、要するに、本発明は、何らかの情報を遊技者に対して表示する表示装置を備えた遊技機であれば、その種類に関係なく適用できる。
【図面の簡単な説明】
【００４３】
【図１】本発明の本第１実施形態に係るスロットマシンの全体を示す正面図である。
【図２】前記第１実施形態に係る演出表示装置を示す断面図である。
【図３】前記第１実施形態に係る制御系の概略を示すブロック図である。
【図４】本発明の第２実施形態に係る演出表示装置を示す断面図である。
【図５】前記第２実施形態の表示窓の互いに異なる表示状態を示す正面図である。
【符号の説明】
【００４４】
１      遊技機としてのスロットマシン
２      筐体としての本体キャビネット
３      前扉
30      表示窓としての演出表示窓
31      表示体パネル
31A     中心軸
32      駆動手段としてのパネルモータ
33      回転角度位置検出手段としてのロータリーエンコーダ
34      表示制御手段としての表示制御装置
35      磁性粉
36      磁性粉貯留パン
37      磁性粉封入ケース
37A     接続口
40,40A  表示装置としての演出表示装置
51,51A  ソレノイド
50      書込手段
54      コア
60      消去手段
63      アクチュエータとしてのカム駆動用モータ
61      ブラシ
62      消去ソレノイド
【図１】
2007167273.tif 000003
【図２】
2007167273.tif 000004
【図３】
2007167273.tif 000005
【図４】
2007167273.tif 000006
【図５】
2007167273.tif 000007